(57)【要約】  光ディスクに対するデータの記録スピードを向上させた場合であっても、回路構成を複雑化することなく、光ディスクの再生時におけるＳ／Ｎ比を確保する。情報記録再生装置ＲＰの光ピックアップＰＵには、波長フィルタ１８が設けられている。この波長フィルタ１８は、例えば、ＥＣ(Electrochromic)材料により構成されており、制御部Ｃから供給される電圧に応じて吸光特性を変化させる。かかる波長フィルタ１８の機能を利用することにより、光ディスクＤＫに記録されたデータの再生時には光ディスクＤＫからの反射光の透過率を最大にすると共に、光ディスクＤＫに対するデータの記録時には反射光の透過率を低下させて、フォトディテクタ１７に照射される反射光のエネルギー量を減少させる。【特許請求の範囲】
【請求項１】
光源から出力された光ビームを情報記録媒体の記録面に照射すると共に、当該記録面からの反射光を受光する光ピックアップ装置であって、
前記情報記録媒体への記録及び再生に応じて前記光ビームの光強度を変化させる光源制御手段と、
前記反射光を受光すると共に受光光量に応じた信号を出力する受光手段と、
前記反射光の光路上に配置され、入射される前記反射光の透過量を制御するフィルタと、
前記光ビームの前記光強度に応じて前記フィルタを制御して前記反射光の透過量を制御するフィルタ制御手段と、
を具備することを特徴とする光ピックアップ装置。
【請求項２】
前記フィルタは、
印加電圧値により吸収波長が可変する吸光層と、
前記吸光層に対して電圧を印可する電極と、を有すると共に、
前記フィルタ制御手段は、前記透明電極に対して印可する電圧値を変更して前記フィルタの吸収波長を変化させることにより、前記情報記録媒体からの反射光の透過量を減少させることを特徴とする請求項１に記載の光ピックアップ装置。
【請求項３】
前記フィルタ制御手段は、前記光ビームの光強度が強くなった時には前記透過量を減少させ、前記光ビームの光強度が弱くなった時には前記透過量を増加させることを特徴とする請求項１乃至請求項２に記載の光ピックアップ装置。
【請求項４】
前記フィルタは、前記反射光路に対して予め定められた角度を持って配置されていることを特徴とする請求項１乃至３の何れかに記載の光ピックアップ装置。
【請求項５】
光源から出力された光ビームを情報記録媒体の記録面に照射すると共に、当該記録面からの反射光を受光する光ピックアップ装置を備えた情報記録再生装置であって、
前記光ピックアップ装置は、
前記情報記録媒体への記録及び再生に応じて前記光ビームの光強度を変化させる光源制御手段と、
前記反射光を受光すると共に受光光量に応じた信号を出力する受光手段と、
前記反射光の光路に配置され、入射される前記反射光の透過量を制御するフィルタと、
前記光ビームの前記光強度に応じて前記フィルタを制御して前記反射光の透過量を制御するフィルタ制御手段と、
を具備することを特徴とする情報記録再生装置。
【発明の詳細な説明】
【技術分野】
【０００１】
本発明は、光ディスク等の情報記録媒体に対する情報の記録及び再生に用いる光ピックアップ装置及び情報記録再生装置に関する。
【背景技術】
【０００２】
従来からＣＤ（Compact Disc）やＤＶＤ（Digital Versatile Disc）等の光ディスクに対するデータの記録及び再生を行う情報記録再生装置においては、ユーザの利便性を向上させ、或いは、他製品との差別化を図る観点からＤＶＤ-Ｒ等の光ディスクに対するデータの記録スピードの向上が図られている。【０００３】
ここで、ＤＶＤ-Ｒ或いはＤＶＤ-ＲＷ等の光ディスクは、或る単位時間あたりに照射される光ビームのエネルギー総量が所定の閾値を越えた場合、或いは、光ディスク上における温度が一定の値以上になった場合に色素変色或いは相変化を生じ、これにより各種データが記録される構成となっているため、記録スピードを向上させるべく光ディスクの回転速度を上昇させると光ディスクに照射される光ビームのエネルギー量を増加させなければデータを記録させることができなくなる。従って、記録スピードの向上を実現するためには、光源から出力される光ビームのエネルギー量を増加させることが不可欠となる。【０００４】
一方、このように記録時の光ビームのエネルギー量を向上させた場合、再生時にフォトディテクタに受光される反射光の光量と、記録時にフォトディテクタに受光される光量の差が大きくなり、フォトディテクタにおいて反射光を正常に受光できなくなる可能性がある。例えば、再生時の反射光により正確にＲＦ信号が得られるようなフォトディテクタを設計した場合、記録時の反射光のエネルギー量が増加し、フォトディテクタのダイナミックレンジを越えてしまうと、フォトディテクタにおいて正常に受光することが不可能となるのである。【０００５】
そこで、従来の情報記録再生装置においては、次のような方法を採用することにより、記録スピードを向上させた場合の受光量の調節を図っている。【０００６】
＜方法１＞
光ディスクからフォトディテクタに入射する反射光の光路上にフィルタを設け、フォトディテクタに入射される反射光のエネルギー量を減少させる。【０００７】
＜方法２＞
受光素子やアンプ回路等の各種回路を集積したＯＥＩＣを用いてフォトディテクタを構成し、光ディスクに対するデータの記録時、或いは、再生時に当該アンプ回路の増幅率を切替え、記録時及び再生時の反射光を受光可能とする。
【発明の開示】
【発明が解決しようとする課題】
【０００８】
しかしながら、上記従来の方法１を採用した場合、光ディスクに記録されたデータ再生時におけるＳ／Ｎ比を確保することが困難となってしまう。すなわち、反射光の光路上にフィルタを設けた場合、本来記録時にのみ減少させればよい反射光のエネルギー量が再生時においても減少されることとなり、ＲＦ信号のレベルの確保が困難となるのである。【０００９】
一方、上記方法２によれば、受光前に当該反射光のエネルギー量が減少されることがないため再生時におけるＲＦ信号のレベルを確保することが可能となる反面、フォトディテクタの構成が複雑化し、且つ、装置の制御方法自体が複雑化することとなる。【００１０】
本願は以上説明した事情に鑑みてなされたものであって、その課題の一例としては、光ディスクに対するデータの記録スピードを向上させた場合であっても、回路構成を複雑化することなく、光ディスクの再生時におけるＳ／Ｎ比を確保することを可能とする光ピックアップ装置及び情報記録再生装置を提供することを目的とする。
【課題を解決するための手段】
【００１１】
上述した課題を解決するため、本願の一つの観点において請求項１に記載の光ピックアップ装置は、光源から出力された光ビームを情報記録媒体の記録面に照射すると共に、当該記録面からの反射光を受光する光ピックアップ装置であって、前記情報記録媒体への記録及び再生に応じて前記光ビームの光強度を変化させる光源制御手段と、前記反射光を受光すると共に受光光量に応じた信号を出力する受光手段と、前記反射光の光路上に配置され、入射される前記反射光の透過量を制御するフィルタと、前記光ビームの前記光強度に応じて前記フィルタを制御して前記反射光の透過量を制御するフィルタ制御手段と、を具備することを特徴とする。【００１２】
また、本願の他の観点においては、請求項５に記載の情報記録再生装置は、光源から出力された光ビームを情報記録媒体の記録面に照射すると共に、当該記録面からの反射光を受光する光ピックアップ装置を備えた情報記録再生装置であって、前記光ピックアップ装置は、前記情報記録媒体への記録及び再生に応じて前記光ビームの光強度を変化させる光源制御手段と、前記反射光を受光すると共に受光光量に応じた信号を出力する受光手段と、前記反射光の光路に配置され、入射される前記反射光の透過量を制御するフィルタと、前記光ビームの前記光強度に応じて前記フィルタを制御して前記反射光の透過量を制御するフィルタ制御手段と、を具備することを特徴とする。
【図面の簡単な説明】
【００１３】
【図１】実施形態における情報記録再生装置ＲＰの構成を示すブロック図である。
【図２】同実施形態における波長フィルタ１８を無機ＥＣ材料を用いて構成した場合の構成例を示す図である。
【図３】同実施形態における波長フィルタ１８を有機ＥＣ材料を用いて構成した場合の構成例を示す図である。
【符号の説明】
【００１４】
ＲＰ・・・情報記録再生装置
ＳＰ・・・信号処理部
Ｃ・・・制御部
Ｄ・・・駆動回路
ＰＵ・・・光ピックアップ
Ｓ・・・サーボ回路
Ｐ・・・再生部
【発明を実施するための最良の形態】
【００１５】
［１］実施形態
（１）全体構成及び動作概要
以下、本実施形態にかかる情報記録再生装置ＲＰの概要構成を示す図１を参照しつつ、本実施形態にかかる情報記録再生装置ＲＰの全体構成及び動作概要について説明する。なお、本実施形態にかかる情報記録再生装置ＲＰは、ＣＤ及びＤＶＤの両規格に対応した光ディスクＤＫに対するデータの記録及び再生を行うコンパチブルプレーヤに、本願の情報記録再生装置を応用したものである。【００１６】
同図に示すように本実施形態にかかる情報記録再生装置ＲＰは、大別して信号処理部ＳＰと、制御部Ｃと、駆動回路Ｄと、光ピックアップＰＵと、サーボ回路Ｓと、再生部Ｐと、により構成される。【００１７】
信号処理部ＳＰは、入力端子を有しており、この端子を介して外部から入力されたデータに信号処理を施して制御部Ｃに出力する。この信号処理部ＳＰにおいて行う具体的な処理内容については任意であり、例えば、入力されたデータをＭＰＥＧ（Moving Picture Experts Group）等の圧縮方式にて圧縮した後、当該データを制御部Ｃに出力するようにしても良い。【００１８】
制御部Ｃは、主としてＣＰＵ（Central Processing Unit）により構成され、情報記録再生装置ＲＰの各部を制御する。例えば、光ディスクＤＫに対してデータを記録する場合、制御部Ｃは、信号処理部ＳＰから入力されたデータに対応した駆動信号を駆動回路Ｄに出力する。また、光ディスクＤＫに記録されているデータの再生を行う場合、制御部Ｃは、信号処理部ＳＰからのデータ入力の有無にかかわらず所定の駆動信号を駆動回路Ｄに出力する。【００１９】
駆動回路Ｄは主として増幅回路に構成され、制御部Ｃから入力された駆動信号を増幅した後、光ピックアップＰＵに供給する。この駆動回路Ｄにおける増幅率は制御部Ｃにより制御され、光ディスクＤＫにデータを記録する場合には、光ピックアップＰＵから光ディスクＤＫに相変化或いは色素変色を生じさせることができるエネルギー量（以下、「記録パワー」という）の光ビームが出力されるように増幅率が制御される。一方、光ディスクＤＫに記録されているデータを再生する場合、光ディスクＤＫにおいて色素変色等の変化が生じないエネルギー量（以下、「再生パワー」という）の光ビームが光ピックアップＰＵから出力されるように増幅率が制御される。【００２０】
光ピックアップＰＵは、駆動回路Ｄから供給される制御信号に基づいて、光ディスクＤＫに対して光ビームを照射し、光ディスクＤＫに対するデータの記録及び読み出しを行うために用いられる。かかる機能を実現するため、本実施形態において、光ピックアップＰＵは、例えば、第１光源１１と、第２光源１２と、光学部２と、集光レンズ１６と、フォトディテクタ１７と、波長フィルタ１８と、を有している。【００２１】
第１光源１１及び第２光源１２は、共にレーザダイオードにより構成されており、駆動回路Ｄから供給される駆動信号に基づき、各々異なる波長の光ビームを出力する。本実施形態において、これら第１光源１１及び第２光源１２は、ＤＶＤ及びＣＤの両記録規格に対応したデータの記録及び再生を実現すべく、夫々、第１光源１１が６６０ｎｍの波長を有する光ビームを、第２光源１２が７８０ｎｍの波長を有する光ビームを出力する。これら各光源１１及び１２は、データの再生及び記録の対象となる光ディスクＤＫの種類によって使い分けられ、光ディスクＤＫがＤＶＤの場合には、第１光源１１のみが利用されることとなる。【００２２】
光学部２は、第１光源１１及び第２光源１２から出力された光ビームを光ディスクＤＫに集光する機能を有し、例えば、第１ビームスプリッタ１３と、第２ビームスプリッタ１４と、アクチュエータ部１５とから構成される。この光学部２を構成する第１ビームスプリッタ１３と第２ビームスプリッタ１４は、例えば、ダイクロイックミラーにより構成されると共に、アクチュエータ部１５は、図示せぬ対物レンズを有している。また、アクチュエータ部１５は、対物レンズの可動機構を有しており、サーボ回路Ｓから供給される制御信号に基づいて対物レンズの位置を変更して、トラッキングサーボ及びフォーカスサーボを実現する。なお、ダイクロイックミラーにより第１及び第２ビームスプリッタ１３及び１４を構成する場合、第１ビームスプリッタ１３については６６０ｎｍの光ビームを９０％反射、１０％透過すると共に７８０ｎｍの光ビームについては１００％透過するダイクロイックミラーを、第２ビームスプリッタ１４については７８０ｎｍの光ビームを９０％反射、１０％透過すると共に６６０ｎｍの光ビームについては１００％透過するダイクロイックミラーを採用することが望ましい。【００２３】
集光レンズ１６は、アクチュエータ部１５の対物レンズ、第１及び第２ビームスプリッタ１３及び１４を透過して入射される反射光をフォトディテクタ１７に集光する。【００２４】
フォトディテクタ１７は、例えば、フォトダイオードにより構成され、集光レンズ１６から照射される光ビームを受光して、ＲＦ信号を制御部Ｃに出力すると共に、トラッキングサーボ及びフォーカスサーボに必要な信号をサーボ回路Ｓに出力する。【００２５】
なお、トラッキングサーボ及びフォーカスサーボを実現するための具体的な方式については任意である。例えば、フォトディテクタ１７を４分割形状とすると共に、集光レンズ１６としてシリンドリカルレンズを採用し、フォーカスサーボについては、非点収差法を用いてサーボ回路Ｓにおいてサーボ量を算出するようにすれば良い。また、トラッキングサーボについても、フォトディテクタ１７を分割した各領域における受光光量に基づいてサーボ回路Ｓにおいてサーボ量を算出するようにすれば良い。【００２６】
波長フィルタ１８は、制御部Ｃによる制御の下、入射された光ビームの吸収波長及び透過率を変更可能な構成を有している。通常、情報記録再生装置ＲＰにおいて、光ディスクＤＫに対するデータの記録スピードを向上させようとする場合、単位時間あたりに光ディスクＤＫに照射される光ビームのエネルギー総量が所定の閾値を越え、或いは、光ディスクＤＫ上における温度が一定の値以上になることが必要とされるため、光ディスクＤＫに対して照射される光ビームのエネルギー量を増加させることが必要となる。その一方、光ディスクＤＫへのデータ記録時における光ビームのエネルギー量（記録パワー）を増加させた場合、再生パワーの光ビームを光ディスクＤＫに照射した時にフォトディテクタ１７で受光される反射光の光量と、記録パワーの光ビームを光ディスクDKに照射した時にフォトディテクタ１７に受光される反射光の光量の差が大きくなり、フォトディテクタ１７において両反射光を正常に受光できなくなる可能性がある。そこで、本実施形態においては、光ディスクＤＫに記録パワーの光ビームが光ディスクＤＫに照射されている状態における反射光の透過量を、この波長フィルタ１８において減少させ、フォトディテクタ１７に到達する反射光のエネルギー量を減少させる構成を採用している。なお、この波長フィルタ１８の具体的な構成については、次項おいて詳述する。【００２７】
以上のような構成を有する情報記録再生装置ＲＰにおいては、第１光源１１或いは第２光源１２から出力される光ビームが第１及び第２ビームスプリッタ１３、１４において反射されて、アクチュエータ部１５の対物レンズに入射され、光ディスクＤＫ上に集光される。このようにして、光ディスクＤＫ上に光ビームが集光されると、当該光ビームは、光ディスクＤＫにおいて反射された後、再度、アクチュエータ部１５の対物レンズを介して第１ビームスプリッタ１３及び第２ビームスプリッタ１４に入射し、第１ビームスプリッタ１３及び第２ビームスプリッタ１４を透過して、波長フィルタ１８を透過する。この際、光ディスクＤＫからの反射光は波長フィルタ１８によりエネルギー量が制御された後、集光レンズ１６に入射し、集光レンズ１６によりフォトディテクタ１７上に集光される。この結果、フォトディテクタ１７からＲＦ信号が制御部Ｃに出力されると共に、トラッキングサーボ及びフォーカスサーボに必要な信号がサーボ回路Ｓに出力されることとなる。【００２８】
また、フォトディテクタ１７からＲＦ信号が供給されると、制御部Ｃは、光ディスクＤＫに記録されているデータの再生時において当該ＲＦ信号に対応するデータを再生部Ｐに出力し、再生部Ｐは、当該データを外部に出力する。これに対して、光ディスクＤＫに対するデータの記録時において、制御部Ｃは、例えば、光ディスクＤＫ上のアドレス取得や記録すべきデータに対応した駆動信号の出力タイミングをこのＲＦ信号に基づいて決定する。また、サーボ回路Ｓは、フォトディテクタ１７から供給される信号に基づいてサーボ量を算出し、当該算出結果に対応した制御信号をアクチュエータ部１５に出力する。この結果、アクチュエータ部１５において対物レンズの配置位置が変更され、トラッキングサーボ及びフォーカスサーボが実現されることとなるのである。【００２９】
（２）波長フィルタ１８の具体的構成及び制御について
次に、波長フィルタ１８の具体的な構成と、その制御について説明する。【００３０】
まず、本実施形態において波長フィルタ１８は、例えば、ＥＣ(Electrochromic)材料と呼ばれる材料を利用して構成されている。このＥＣ材料は、印加電圧により可逆的に吸収波長が変化するエレクトロクロイズム現象を起こす材料であり、印加電圧により透明な状態から所定周波数の光線のみを吸光して各色を呈した状態に変化する特性を有している。このＥＣ材料としては、無機系、有機系の２系統が存在し、無機系ＥＣ材料としては、例えば、電気吸光反応を利用したＷＯ３（三酸化タングステン）、ＭｏＯ３（三酸化モリブデン）等のカソードＥＣ（還元により着色）や、プルシアンブルー（KxFeyFez(CN)6）、Ｎｉ（ＯＨ）n等のアノーディックＥＣ（酸化により着色）があり、有機ＥＣ材料としては、有機ＥＬ（Electro Luminescent）材料として用いられる、ポリフェナザシリン等の機能性高分子がある。【００３１】
図２に、無機ＥＣを用いた場合の波長フィルタ１８の構成例を、図３に有機ＥＣを用いた場合の波長フィルタ１８の構成例を示す。【００３２】
まず図２において１０１は基板であり、例えば、ＳｉＯ２（酸化珪素）のような透過性の高い基材により構成される。この基板１０１上には透明電極１０２が形成され、この透明電極１０２上にゾル・ゲル法或いは引き上げ法、蒸着等の方法により製膜後、焼成を行うことによりＥＣ層１０３が形成される。また、このＥＣ層１０３上には、更に透明電極１０４が積層され、この結果、透明電極１０２と１０４の間にエレクトロクロミック層１０３がサンドイッチされた状態にて形成されることとなる。この波長フィルタ１８上に設けられた両透明電極１０２及び１０４は、夫々、制御部Ｃと接続されており、制御部Ｃは両電極１０２及び１０４間に電位差を生じさせることによりＥＣ層１０３における吸光特性を可逆的に変更させることとなる。【００３３】
なお、ＥＣ材料における吸光度は、利用する材料によって異なるため、具体的に波長フィルタ１８を設計するに際しては、記録時の反射光のエネルギー量とフォトディテクタ１７のダイナミックレンジに基づいて波長フィルタ１８を透過させる反射光のエネルギー量を計算し、ＥＣ層１０３の厚さを変更することが必要となる。例えば、本実施形態の場合、波長６６０ｎｍ及び７８０ｎｍの光ビームを利用する構成となっているため、データの記録時において何れかの波長の反射光を吸光し、データ記録時にフォトディテクタ１７に受光される反射光のエネルギー量を減少させることが必要となる。このため、例えば、ＥＣ層１０３としてＰＢ（プルシアンブルー）を利用する場合、0．2Ｖ印加で無色→青への着色が生じ、適切な膜厚を与えることにより低電圧で必要とされるフィルタ特性を得る事ができる。【００３４】
次に、有機ＥＣを用いた場合、波長フィルタ１８は、２枚の透明基板２０１及び２０４を間隙を持って張り合わせ、両基板間に有機ＥＣ材料２０３を充填して構成されることとなる。各透明基板２０１及び２０４の対向面上には夫々透明電極２０２及び２０５が形成されており、各電極２０２及び２０５は制御部Ｃに接続され、制御部Ｃは両電極２０２及び２０５間に電位差を生じさせることにより有機ＥＣ材料２０３における吸収波長を可逆的に変化させることとなる。なお、この場合においてもＥＣ層２０３の厚さや印加電圧値等を適宜設計する必要があることは、上記無機系のＥＣ材料を用いた場合と同様である。【００３５】
ここで、この波長フィルタ１８を採用する場合、透過及び吸光される光ビームの他に波長フィルタ１８において反射される光ビームも発生する。従って、光ビームの入射軸を法線とする角度に波長フィルタ１８を設置してしまうと、当該波長フィルタ１８上にて反射された光ビームが光軸上にて迷光する可能性がある。従って、波長フィルタ１８は、光ビームの入射軸に対して所定の角度θをもって設置し、フィルタ１８において当該光軸上に反射光が発生しないようにすることが必要となる。【００３６】
また、波長フィルタ１８を第１ビームスプリッタ１３及び第２ビームスプリッタよりもアクチュエータ部１５側に設置してしまうと、両光源から出力された光ビームが光ディスクＤＫに照射される前に吸光若しくは反射が発生するため、波長フィルタ１８は、両ビームスプリッタ１３及び１４よりもフォトディテクタ１７側に設置することが必要となる。【００３７】
以上のように波長フィルタ１８が構成された本実施形態にかかる情報記録再生装置ＲＰにおいては、制御部Ｃが波長フィルタ１８に印可する電圧を制御することにより、波長フィルタ１８における吸光特性を変化させることとなる。具体的には、光ディスクＤＫに記録されているデータの再生時、制御部Ｃは、波長フィルタ１８に対する印加電圧を制御して波長フィルタ１８における反射光の透過量を最大の状態（すなわち、透明な状態）に維持することにより、波長フィルタ１８において低減される反射光のエネルギー量を最小限に抑制する。この結果、光ディスクＤＫに記録されているデータの再生時にフォトディテクタ１７に入射される反射光のエネルギー量の減少を最小限に抑え、再生時におけるＲＦ信号のレベルを確保することが可能となる。【００３８】
これに対して、光ディスクＤＫに対するデータの記録時、すなわち記録パワーにて光ビームを照射している時には、制御部Ｃは、波長フィルタ１８に対する印加電圧を制御することにより、所定周波数の反射光を吸光し、反射光の透過率が低下した状態に波長フィルタ１８を維持させる。この際、制御部Ｃは、データの記録対象となっている光ディスクＤＫがＣＤ規格に従ったものであるか、或いは、ＤＶＤ規格に従ったものであるかにより波長フィルタ１８に印可すべき電圧値を変更し、波長フィルタ１８における吸収波長を変更する。この結果、光ディスクＤＫにおける反射光は、波長フィルタ１８においてエネルギー量が減少されて、フォトディテクタ１７に入射されることとなり、何れかの光源１１或いは１２から記録パワーの光ビームが出力されている状態においてもフォトディテクタ１７に受光される反射光のエネルギー量は再生パワーと同程度まで低減されることとなる。【００３９】
このようにして、本実施形態にかかる情報記録再生装置ＲＰにおいて光ピックアップＰＵは、第１光源１１或いは第２光源１２から出力された光ビームを光ディスクＤＫの記録面に照射すると共に、当該記録面からの反射光を受光する光ピックアップＰＵであって、光ディスクＤＫへの記録及び再生に応じて、光ビームの光強度を変化させる制御部Ｃ及び駆動回路Ｄと、光ディスクＤＫからの反射光を受光すると共に受光光量に応じた信号を出力するフォトディテクタ１７と、反射光の光路に配置され、入射される反射光の透過量を制御する波長フィルタ１８と、記録面に照射される光ビームの光強度に応じて波長フィルタ１８を制御して反射光の透過量を制御する制御部Ｃと、を具備する構成となっている。【００４０】
この構成により、光ディスクＤＫの記録面に照射される光ビームの光強度に応じて、例えば、記録パワーの光ビームが光ディスクＤＫの記録面に照射されている状態において、光ディスクＤＫからの反射光のエネルギー量が波長フィルタ１８において減少された後、フォトディテクタ１７に受光されることとなる。このため、光ディスクＤＫに対するデータの記録スピードを向上させ、光ディスクＤＫに照射される光ビームのエネルギー量が増加したような場合であっても回路構成を複雑化することなく、適正にフォトディテクタ１７において反射光を受光することが可能となる。【００４１】
また、この構成においては、波長フィルタ１８における反射光の透過量を制御部Ｃからの印加電圧に基づいて変更可能であるため、光ディスクＤＫに対するデータ記録時には波長フィルタ１８において反射光の透過量を削減しつつ、光ディスクＤＫに記録されているデータの再生時には光ディスクＤＫからの反射光の透過量を最大にしてデータ再生時におけるＲＦ信号のレベルを確保し、もって、光ディスクの再生時におけるＳ／Ｎ比を確保することも可能となるのである。【００４２】
更に、本実施形態にかかる情報記録装置ＲＰにおいて、波長フィルタ１８は、印加電圧値により吸収波長が可変するエレクトロクロミック層１０３或いは２０３と、エレクトロクロミック層１０３或いは２０３に対して電圧を印可する透明電極と、を有すると共に、制御部Ｃは透明電極に対して印可する電圧値を変更して波長フィルタ１８の吸収波長を可変させることにより、光ディスクＤＫからの反射光の透過量を減少させる構成となっている。【００４３】
この構成によれば、エレクトロミック層１０３或いは２０３に対する印加電圧の制御のみで光ディスクＤＫからの反射光の透過量を制限することが可能となり、もって、簡易な構成を採用しつつフォトディテクタ１７における適正な受光を実現することが可能となる。【００４４】
更にまた、本実施形態にかかる情報記録再生装置ＲＰにおいて制御部Ｃは、光ディスクＤＫの記録面上に照射される光ビームの光強度が強くなった時には透過量を減少させ、当該光ビームの光強度が弱くなった時には透過量を増加させる構成となっている。【００４５】
このため、光ディスクＤＫに対するデータの記録時及び再生時の各々において波長フィルタ１８における反射光の透過量が制御され、フォトディテクタ１７の設計を容易にすることが可能となる。すなわち、フォトディテクタ１７のダイナミックレンジが狭い場合であっても、波長フィルタ１８において反射光のエネルギー量を制御することが可能であるため、記録パワーにて光ディスクＤＫに光ビームが照射される状態においてもフォトディテクタ１７において受光される反射光のエネルギー量を再生パワー程度に抑え、確実な受光を実現することが可能となるのである。【００４６】
また、本実施形態にかかる情報記録再生装置ＲＰにおいて、波長フィルタ１８は、光ディスクＤＫからの反射光の光路に対して予め定められた角度を持って設置された構成となっているため、波長フィルタ１８において反射される光ビームが発生した場合であっても、光軸上における迷光を防止することが可能となる。【００４７】
なお、上記実施形態においては、波長フィルタ１８をＥＣ材料により構成した例について説明したが、コレスティック液晶のように温度により透過率を変更可能な材料を用いて波長フィルタ１８を構成し、制御部Ｃから供給する電圧を制御することにより、何れか一方の波長を有する光ビームを透過するように構成しても良い。【００４８】
また、上記実施形態においてはＣＤ及びＤＶＤの両規格に対応した光ディスクＤＫに対する情報の記録及び再生を行う装置ＲＰについて説明したが、例えば、ブルーレイディスクとＣＤ、或いは、ブルーレイディスクとＤＶＤの規格に対応した光ディスクＤＫに対する情報の記録及び再生を行う装置についても上記と同様の構成により実現可能である。【００４９】
また更に、本実施形態においては、第１光源１１及び第２光源１２から出力された光ビームを第１ビームスプリッタ１３及び第２ビームスプリッタ１４の双方に対して直接照射する構成となっている。しかし、光源とビームスプリッタの間に回折格子を設置し、第１光源１１或いは第２光源１２から出力された光ビームを主ビーム（０次回折光）及び副ビーム（±１次回折光）に分割した後、第１ビームスプリッタ１３及び第２ビームスプリッタ１４に照射するようにしても良い。但し、かかる構成を採用する場合、フォトディテクタ１７には、主ビームを受光するための領域を設け当該領域を４分割形状とすると共に、この主ビームを受光するための領域の左右に、副ビームを受光するための領域を設けることが必要となる。また、この副ビームを受光するための領域については、更に左右２分割の形状とすることにより、副ビームを利用したトラッキングサーボ、フォーカスサーボを行うことが可能となる。【００５０】
更に、本実施形態にかかる情報記録再生装置ＲＰにおいては、制御部Ｃ及び駆動回路Ｄを光ピックアップＰＵと別体のＣＰＵ等の装置により構成した例について説明したが、これらは光ピックアップＰＵと一体的に構成するようにしても良い。
【図１】
2006011314.tif 000002
【図２】
2006011314.tif 000003
【図３】
2006011314.tif 000004
【手続補正書】
【提出日】平成17年10月26日(2005.10.26)
【手続補正１】
【補正対象書類名】特許請求の範囲
【補正対象項目名】全文
【補正方法】変更
【補正の内容】
【書類名】請求の範囲
【請求項１】互いに異なる波長を有する光ビームを出力する複数の光源を備え、情報記録媒体の種類に応じて１つの光源から前記光ビームを記録面に照射すると共に、当該記録面からの反射光を受光する光ピックアップ装置であって、
前記情報記録媒体への記録及び再生に応じて前記光ビームの光強度を変化させる光源制御手段と、
前記反射光を受光すると共に受光光量に応じた信号を出力する受光手段と、
前記反射光の光路上に配置され、入射される前記反射光の透過量を制御するフィルタと、
前記光ビームの前記光強度に応じて前記フィルタを制御して前記反射光の透過量を制御するフィルタ制御手段と、
を備え、
前記フィルタは、
印加電圧値により吸収波長が可変する吸光層と、
前記吸光層に対して電圧を印可する電極と、を備え、
前記フィルタ制御手段は、前記情報記録媒体の種類に応じて前記透明電極に対して印可する電圧値を変更して前記フィルタの吸収波長を変化させることにより、前記情報記録媒体からの反射光の透過量を減少させることを特徴とする光ピックアップ装置。
【請求項２】前記フィルタ制御手段は、前記光ビームの光強度が強くなった時には前記透過量を減少させ、前記光ビームの光強度が弱くなった時には前記透過量を増加させることを特徴とする請求項１に記載の光ピックアップ装置。
【請求項３】前記フィルタは、前記反射光路に対して予め定められた角度を持って配置されていることを特徴とする請求項１に記載の光ピックアップ装置。
【請求項４】互いに異なる波長を有する光ビームを出力する複数の光源を備え、情報記録媒体の種類に応じて１つの光源から前記光ビームを記録面に照射すると共に、当該記録面からの反射光を受光する光ピックアップ装置を備えた情報記録再生装置であって、
前記光ピックアップ装置は、
前記情報記録媒体への記録及び再生に応じて前記光ビームの光強度を変化させる光源制御手段と、
前記反射光を受光すると共に受光光量に応じた信号を出力する受光手段と、
前記反射光の光路に配置され、入射される前記反射光の透過量を制御するフィルタと、
前記光ビームの前記光強度に応じて前記フィルタを制御して前記反射光の透過量を制御するフィルタ制御手段と、
を備え、
前記フィルタは、
印加電圧値により吸収波長が可変する吸光層と、
前記吸光層に対して電圧を印可する電極と、を備え、
前記フィルタ制御手段は、前記情報記録媒体の種類に応じて前記透明電極に対して印可する電圧値を変更して前記フィルタの吸収波長を変化させることにより、前記情報記録媒体からの反射光の透過量を減少させることを特徴とする情報記録再生装置。
【手続補正２】
【補正対象書類名】明細書
【補正対象項目名】０００２
【補正方法】変更
【補正の内容】
【０００２】
［０００６］  ＜方法１＞
光ディスクからフォトディテクタに入射する反射光の光路上にフィルタを設け、フォトディテクタに入射される反射光のエネルギー量を減少させる。
［０００７］  ＜方法２＞
受光素子やアンプ回路等の各種回路を集積したＯＥＩＣを用いてフォトディテクタを構成し、光ディスクに対するデータの記録時、或いは、再生時に当該アンプ回路の増幅率を切替え、記録時及び再生時の反射光を受光可能とする。
【発明の開示】
【発明が解決しようとする課題】
［０００８］  しかしながら、上記従来の方法１を採用した場合、光ディスクに記録されたデータ再生時におけるＳ／Ｎ比を確保することが困難となってしまう。すなわち、反射光の光路上にフィルタを設けた場合、本来記録時にのみ減少させればよい反射光のエネルギー量が再生時においても減少されることとなり、ＲＦ信号のレベルの確保が困難となるのである。
［０００９］  一方、上記方法２によれば、受光前に当該反射光のエネルギー量が減少されることがないため再生時におけるＲＦ信号のレベルを確保することが可能となる反面、フォトディテクタの構成が複雑化し、且つ、装置の制御方法自体が複雑化することとなる。
［００１０］  本願は以上説明した事情に鑑みてなされたものであって、その課題の一例としては、光ディスクに対するデータの記録スピードを向上させた場合であっても、回路構成を複雑化することなく、光ディスクの再生時におけるＳ／Ｎ比を確保することを可能とする光ピックアップ装置及び情報記録再生装置を提供することを目的とする。
【課題を解決するための手段】
［００１１］  上述した課題を解決するため、本願の一つの観点において請求項１に記載の光ピックアップ装置は、互いに異なる波長を有する光ビームを出力する複数の
２
【手続補正３】
【補正対象書類名】明細書
【補正対象項目名】０００３
【補正方法】変更
【補正の内容】
【０００３】
光源を備え、情報記録媒体の種類に応じて１つの光源から前記光ビームを記録面に照射すると共に、当該記録面からの反射光を受光する光ピックアップ装置であって、前記情報記録媒体への記録及び再生に応じて前記光ビー厶の光強度を変化させる光源制御手段と、前記反射光を受光すると共に受光光量に応じた信号を出力する受光手段と、前記反射光の光路上に配置され、入射される前記反射光の透過量を制御するフィルタと、前記光ビームの前記光強度に応じて前記フィルタを制御して前記反射光の透過量を制御するフィルタ制御手段と、を備え、前記フィルタは、印加電圧値により吸収波長が可変する吸光層と、前記吸光層に対して電圧を印可する電極と、を備え、前記フィルタ制御手段は、前記情報記録媒体の種類に応じて前記透明電極に対して印可する電圧値を変更して前記フィルタの吸収波長を変化させることにより、前記情報記録媒体からの反射光の透過量を減少させることを特徴とする。
［００１２］  また、本願の他の観点においては、請求項４に記載の情報記録再生装置は、互いに異なる波長を有する光ビームを出力する複数の光源を備え、情報記録媒体の種類に応じて１つの光源から前記光ビームを記録面に照射すると共に、当該記録面からの反射光を受光する光ピックアップ装置を備えた情報記録再生装置であって、  前記光ピックアップ装置は、前記情報記録媒体への記録及び再生に応じて前記光ビームの光強度を変化させる光源制御手段と、前記反射光を受光すると共に受光光量に応じた信号を出力する受光手段と、前記反射光の光路に配置され、入射される前記反射光の透過量を制御するフィルタと、前記光ビームの前記光強度に応じて前記フィルタを制御して前記反射光の透過量を制御するフィルタ制御手段と、を備え、前記フィルタは、印加電圧値により吸収波長が可変する吸光層と、前記吸光層に対して電圧を印可する電極と、を備え、前記フィルタ制御手段は、前記情報記録媒体の種類に応じて前記透明電極に対して印可する電圧値を変更して前記フィルタの吸収波長を変化させることにより、前記情報記録媒体からの反射光の透過量を減少させることを特徴とする。
【図面の簡単な説明】
［００１３］［図１］実施形態における情報記録再生装置ＲＰの構成を示すブロック図である。
［図２］同実施形態における波長フィルタ１８を無機ＥＣ材料を用いて構成した場合の構成例を示す図である。
［図３］同実施形態における波長フィルタ１８を有機ＥＣ材料を用いて構成した場合の構成例を示す図である。
【符号の説明】
［００１４］ＲＰ・・・情報記録再生装置
ＳＰ・・・信号処理部
Ｃ・・・制御部
Ｄ・・・駆動回路
ＰＵ・・・光ピックアップ
Ｓ・・・サーボ回路
Ｐ・・・再生部
【発明を実施するための最良の形態】
［００１５］［１］実施形態
（１）全体構成及び動作概要
３／１
【国際調査報告】
2006011314.tif 000005
2006011314.tif 000006
2006011314.tif 000007
2006011314.tif 000008